(57)【要約】【課題】  特殊再生用画像を良好に再生する。【解決手段】  通常再生用の画像データと、隣接するフレーム間で異なる値を持つフレームチェンジ情報を含み１フレームがＮ本のトラックにわたって記録された特殊再生用画像データとをテープ状記録媒体上の多数のトラックから再生する再生手段と、再生された特殊再生用画像データを出力する出力手段と、再生されたフレームチェンジ情報の値に基づいて、前記出力手段より出力する特殊再生用画像データのフレームを更新する制御手段とを備え、前記制御手段は、サーチ再生時において、同一の値を持つ前記フレームチェンジ情報が連続して前記Ｎトラックを超えて再生された場合、前記同一の値を持つフレームチェンジ情報に対応するフレームの出力を禁止する。【選択図】  図９
2007074523.tif 000002
【特許請求の範囲】
【請求項１】
通常再生用の画像データと、隣接するフレーム間で異なる値を持つフレームチェンジ情報を含み１フレームがＮ本のトラックにわたって記録された特殊再生用画像データとをテープ状記録媒体上の多数のトラックから再生する再生手段と、
前記再生手段により再生された特殊再生用画像データを出力する出力手段と、
前記再生手段により再生されたフレームチェンジ情報の値に基づいて、前記出力手段より出力する特殊再生用画像データのフレームを更新する制御手段とを備え、
前記制御手段は、前記テープ状記録媒体を通常再生時よりも高速に搬送しながら前記特殊再生用画像データを再生するサーチ再生時において、同一の値を持つ前記フレームチェンジ情報が連続して前記Ｎトラックを超えて再生された場合、前記同一の値を持つフレームチェンジ情報に対応するフレームの出力を禁止することを特徴とする再生装置。
【請求項２】
前記出力手段は、それぞれ１フレームの前記特殊再生用画像データを記憶可能な複数のメモリバンクから構成されるメモリを有し、前記制御手段は、前記フレームチェンジ情報に基づいて前記メモリにおける前記特殊再生用画像データの書き込みメモリバンクと読み出しメモリバンクとを切り替えることを特徴とする請求項１記載の再生装置。
【請求項３】
前記特殊再生用画像データはそれぞれ所定量のデータ及びＩＤからなる複数の同期ブロックから構成され、前記制御手段は更に、前記同期ブロックのＩＤに基づいて前記メモリバンクにおける書き込みアドレスを決定することを特徴とする請求項２記載の再生装置。
【発明の詳細な説明】
【技術分野】
【０００１】
本発明は再生装置に関し、特に特殊再生用画像データを通常再生用の画像データとは別に記録してなる記録媒体から画像データを再生する装置に関する。
【背景技術】
【０００２】
従来、画像データをＭＰＥＧ方式で符号化し、磁気テープに記録する記録装置が知られている。この種の記録装置として、近年、ＨＤＶ方式と呼ばれる民生用のデジタルＶＴＲの規格が策定された。ＨＤＶ方式では、ＭＰＥＧ方式で符号化した通常再生用画像データに加え、特殊再生用画像データを生成し、特殊再生用画像データは、テープ上の特定エリアに記録される（例えば、特許文献１参照）。
【０００３】
図１は、磁気テープのデータ配置図である。図１において、通常再生用画像データはＭＰＥＧ符号化され、１６トラック単位にエラー訂正符号化処理されている。一方、特殊再生用画像データは、８倍速用データと２４倍速用データからなり、８倍速用の特殊再生用データは、エラー訂正符号化処理の単位である１６トラック単位で配置される。このエラー訂正符号化の単位をＥＣＣユニットという。特殊再生用画像データの記録位置は、インターリーブ後の物理的な位置で定義される。
【０００４】
ここで８倍速用のサーチ画像データは、各ＥＣＣユニット内の同じ番号のトラックに配置される。また、１画面の特殊再生用画像データが９個のＥＣＣユニットにわたって記録される。この９個のＥＣＣユニットの一つ一つをサーチユニットと呼び、各サーチユニットには番号「０」〜「８」のいずれかが付与されている。
【０００５】
また、２４倍速用のサーチ画像データは、３ＥＥＣユニット（１６×３＝４８トラック）中で同じトラック位置に配置される。各ＥＣＣユニットには、サーチユニット番号「０」〜「１１」のいずれかが付与されている。
【０００６】
特殊再生用画像データと通常再生用の画像データのフレームの関係について図２を用いて説明する。
【０００７】
ここでは一例として、１５フレームで構成されるＧＯＰを単位とする通常再生用の画像データのフレームと８倍速用のサーチ画像データの関係を説明する。
【０００８】
８倍速用の特殊再生用画像データは、それぞれのＧＯＰの中のＩピクチャから生成される。各ＥＣＣユニットには、サーチユニット番号２０１が付与されている。また、各特殊再生用画像データのシンクブロックヘッダ（ＳＢヘッダ）にはピクチャチェンジカウンタ（以下ＰＣＣ）が付加されている。ＰＣＣは１から３までの値を持ち、特殊再生用画像データのフレーム毎に増加する。
【０００９】
特殊再生用画像データの再生時には、このＰＣＣの値を利用して再生された特殊再生用画像データを記憶する際のメモリアドレスを制御したり、或いは、再生画面の切り替えを制御する。
【特許文献１】特開２００４−１５４５７
【発明の開示】
【発明が解決しようとする課題】
【００１０】
例えば、図３に示すように、つなぎ記録などにより、１フレームの特殊再生用画像データが記録されている９個のサーチユニットの途中から、別のサーチユニットのデータが記録されることが考えられる。
【００１１】
その際、つなぎ記録された特殊再生用画像データのＰＣＣの値が、元の特殊再生用画像データに付加されていたＰＣＣの値と同じであった場合、再生時には、ＰＣＣの値を利用した前述の様なメモリアドレスの制御や画面の切り替えが良好に行われないおそれがある。
【００１２】
そのため、再生画像が乱れてしまうという問題がある。
【００１３】
本発明はこのような状況に鑑みてなされたものであり、特殊再生用画像を良好に再生する装置を提供することを目的とする。
【課題を解決するための手段】
【００１４】
本発明は、通常再生用の画像データと、隣接するフレーム間で異なる値を持つフレームチェンジ情報を含み１フレームがＮ本のトラックにわたって記録された特殊再生用画像データとをテープ状記録媒体上の多数のトラックから再生する再生手段と、前記再生手段により再生された特殊再生用画像データを出力する出力手段と、前記再生手段により再生されたフレームチェンジ情報の値に基づいて、前記出力手段より出力する特殊再生用画像データのフレームを更新する制御手段とを備え、前記制御手段は、前記テープ状記録媒体を通常再生時よりも高速に搬送しながら前記特殊再生用画像データを再生するサーチ再生時において、同一の値を持つ前記フレームチェンジ情報が連続して前記Ｎトラックを超えて再生された場合、前記同一の値を持つフレームチェンジ情報に対応するフレームの出力を禁止することを特徴とする。
【発明の効果】
【００１５】
本発明によれば、不正な特殊再生用画像データの出力を防ぐことが出来る。
【発明を実施するための最良の形態】
【００１６】
以下、本発明の実施形態について図面を参照しながら説明する。
【００１７】
図４は、本発明の実施形態に係る再生装置の構成を示すブロック図である。
【００１８】
図４の再生装置４００は、ＨＤＶ方式で記録されたデータの再生機能を持つ。
【００１９】
図４において、４０１は再生されたＭＰＥＧデータを復号するデコーダ、４０２はメモリ、４０３はデコードされた画像データを出力する出力部、４０４は再生装置全体を制御するＣＰＵ、４０５は各種の操作スイッチを有する操作キー、４０６は再生画像の他、各種の情報を表示する表示部、４０７はテープＴからデータを再生する再生部、４０８はデータバスである。
【００２０】
テープＴには、図１に示した形態で通常再生用の画像データと特殊再生用画像データとが記録されている。
【００２１】
通常再生時においては、操作キー４０５により再生指示があると、ＣＰＵ４０４は再生部４０７に対し通常再生を指示する。再生部４０７は、テープＴを通常再生速度で搬送しながらテープＴより通常再生用の画像データを再生し、メモリ４０２に出力する。デコーダ４０１は、ＣＰＵ４０４の指示により、メモリ４０２に書き込まれた通常再生用の画像データ（ＭＰＥＧデータ）をデコードし、表示部４０６及び出力部４０３に出力する。表示部４０６はこの様に再生された通常再生用の画像を表示する。
【００２２】
次に、高速再生時の処理について説明する。
【００２３】
まず、特殊再生用画像データについて説明する。
【００２４】
本実施形態において、通常再生用の画像データの輝度データの有効画素数は、水平方向に１４４０サンプル、垂直方向に１０８０サンプルである。また、色差データの有効画素数は、水平方向に７２０サンプル、垂直方向に５４０サンプルである。
【００２５】
この１画面分の画像データは、図５に示されるように、水平方向に９０（＝１４４０÷１６）個、垂直方向に６８（＝１０８０÷１６（小数点切り上げ））個のマクロブロック（ＭＢ）に区分される。すなわち、１画面は、９０×６８の６１２０マクロブロックに区分される。
【００２６】
輝度信号Ｙの１つのマクロブロックは、８画素×８画素毎の４個のＤＣＴブロックから構成される。そして、特殊再生用画像データとして、各ＤＣＴブロックのＤＣ成分を抽出し、それぞれ６ビットのデータに変換する。また、色差信号ＣｂおよびＣｒの８画素×８画素のそれぞれのＤＣＴブロックからＤＣ成分を抽出し、それぞれ５ビットのデータに変換する。この様に、一つのマクロブロックにおける輝度信号から得られた４サンプルのデータと、色差信号から得られた２サンプルのデータで、特殊再生用画像データを構成する。即ち、通常再生用の画像データの一つのマクロブロックのデータを３４（＝６×４＋５×２）ビットのデータに変換し、特殊再生用画像データを生成する。
【００２７】
更に、この様に変換した特殊再生用画像データを記録する際、図６（Ａ）に示すベースデータ用マクロブロックと、図６（Ｂ）に示すヘルパーデータ用のマクロブロックの２種類に分けて記録する。ベースデータは、図２に示した１フレームの特殊再生用画像データが記録される９個のサーチユニットのうち、サーチユニット番号が０〜３サーチユニットに記録され、ヘルパーデータはサーチユニット番号が４〜８のサーチユニットに記録される。
【００２８】
ベースデータは、図６（Ａ）に示されるように、通常再生用の画像データにおける一つのマクロブロックの４個の輝度信号のＤＣＴブロックＹ０、Ｙ１、Ｙ２、Ｙ３のうち、左上のＤＣＴブロックＹ０のＤＣ成分を抽出して６ビットに変換したマクロブロックと、色差信号ＣｂおよびＣｒのＤＣＴブロックのＤＣ成分を抽出して、それぞれ５ビットのデータに変換したマクロブロックとの、３つのマクロブロックから構成される。
【００２９】
また、ヘルパーデータは、図６（Ｂ）に示されるように、輝度信号４個のＤＣｔブロックのうち、残りの３個のＤＣＴブロックＹ１乃至Ｙ３からＤＣ成分を抽出して６ビットに変換した３つのマクロブロックから構成される。
【００３０】
図７は、１フレームの特殊再生用画像データの様子を示す図である。本実施形態では、図７に示す１フレーム分の特殊再生用画像データを、図２におけるサーチユニット番号０〜８の９個のサーチユニットにわたって記録されている。
【００３１】
図７に示すように、１フレームの特殊再生用画像データは、水平方向に９０マクロブロック、垂直方向に６８マクロブロックで構成される。そして、この１フレームの特殊再生用画像データを０〜３３の３４個のブロック（サーチデータブロック）に分割する。そして、更に各ブロックを垂直方向に１マクロブロック毎に分割し、同期、ＩＤデータが付加されてテープＴに記録されている。このＩＤには、ＰＣＣデータと図７に示した各シンクブロックの位置を示す位置情報とが含まれており、再生時には、このＩＤと後述のＰＣＣの値とに基づいて、メモリ４０２における各シンクブロックの記録アドレスを決定する。
【００３２】
具体的には、ＥＣＣユニット内のトラック番号が０及び４のトラックに対し、サーチデータブロックの番号が１７から３３までの１７シンクブロック分のデータがそれぞれ２回づつ記録される。更に、サーチユニット番号０のＥＣＣユニットには、各サーチデータブロックの上から３番目のシンクブロックのデータが記録される。同様に、サーチユニット番号１、２、３の各ＥＣＣユニットには、それぞれ、各サーチデータブロックの上から１番目、４番目、２番目のシンクブロックのデータが記録される。
【００３３】
一方、ＥＣＣユニット内のトラック番号が２のトラックに対し、サーチデータブロックの番号が０から１６までの１７シンクブロック分のデータが３回づつ記録される。更に、サーチユニット番号０のＥＣＣユニットには、各サーチデータブロックの上から３番目のシンクブロックのデータが記録される。同様に、サーチユニット番号１、２、３の各ＥＣＣユニットには、それぞれ、各サーチデータブロックの上から１番目、４番目、２番目のシンクブロックのデータが記録される。
【００３４】
また、へルーパーデータについても同様に３４個のサーチデータブロックに分割され、サーチユニット番号４〜９のトラックに記録されている。
【００３５】
この様に記録された特殊再生用画像データの再生処理について説明する。
【００３６】
図８は、テープＴに記録されたデータの一例を示す図である。図９はサーチ再生時の処理を示すフローチャートである。
【００３７】
図４の操作キー４０５によりサーチ再生の指示があると、ＣＰＵ４０４は変数Ｔｒをリセットし（ステップＳ９０１）、再生部４０７に対し、サーチ再生開始を指示する。再生部４０７はテープＴを通常再生時の８倍の速度で搬送し、テープＴより特殊再生用画像データを再生する（ステップＳ９０２）。ＣＰＵ４０４は、サーチ再生中、サーチユニット番号０のサーチユニットの先頭（逆サーチの場合、最後尾）のトラックからのトラック数Ｔｒをカウントする。
【００３８】
そして、ＣＰＵ４０４は、再生された特殊再生用画像データ中のＰＣＣを検出し（ステップＳ９０３）、直前のサーチユニット（ＥＣＣユニット）から再生した特殊再生用画像データ中のＰＣＣの値と比較して変化したか否かを判別する（ステップＳ９０４）。
【００３９】
ＰＣＣの値が変化していなかった場合、トラック数Ｔｒがサーチユニット番号０〜８までのトラック数Ｎ（ここでは、１６×９＝１４４）を超えているか否かを判別する（ステップＳ９０８）。超えていない場合には、特殊再生用画像データのシンクブロックの中のＰＣＣ及び位置情報に基づいて、メモリ４０２に書き込む（ステップＳ９０９）。
【００４０】
メモリ４０２は、それぞれ１フレームの特殊再生用画像データを記憶可能であり、独立に書き込み及び読み出しが複数のメモリバンクから構成されている。そして、ＰＣＣの値に基づいて書き込みバンクを決定すると共に、位置情報に従い、メモリバンク中の書き込みアドレスを決定する。
【００４１】
一方、ステップＳ９０４において、ＰＣＣの値が変化していた場合、変数Ｔｒをリセットし（ステップＳ９０５）、メモリ４０２の読み出しバンクを、現在表示中のフレームの次のフレームのデータが書き込まれているメモリバンクに切り替える。そして、切り替え後の読み出しバンクより、特殊再生用画像データを読み出して表示部４０６に表示することで、表示画面を更新する（ステップＳ９０６）。
【００４２】
また、ステップＳ９０８で、サーチユニットの先頭からのトラック数がＮを超えていた場合、現在書き込み中のメモリバンクのデータを破棄し、そのまま書き込みバンクを切り替えずにＳ９０７に進む（ステップＳ９１０）。
【００４３】
ステップＳ９０７では、操作キー４０５により再生停止の指示があるか否かを判別し、再生停止の指示が無ければステップＳ９０２に戻る。
【００４４】
例えば、図８の８０２に示す様に、ＰＣＣの値が２である元の特殊再生用画像データが記録されているサーチユニット番号３の後から、新たにＰＣＣが２の特殊再生用画像データが記録されていた場合、ＰＣＣの値が２である特殊再生用画像データが、９個のサーチユニットの期間を超えてしまうことになる。
【００４５】
ステップＳ９０８では、この様な状態を検出し、そのとき書き込まれていたＰＣＣが２の特殊再生用画像データを全て破棄している。
【００４６】
前述のように、本実施形態では、再生された特殊再生用画像データのシンクブロックのＩＤに従ってメモリ４０２の書き込みアドレスを決定している。そのため、逆方向にサーチ再生した場合、テープ上でつなぎ位置８０４以降に記録されたＰＣＣ＝２の特殊再生用画像データをメモリ４０２に書き込んだ後、つづけて特殊再生用画像データを再生した場合、つなぎ位置８０４の直前に記録されている、ＰＣＣ＝２のサーチユニット０〜３までのデータが再生されることになる。
【００４７】
そして、メモリ４０２上に既に書き込まれていた、つなぎ位置８０４の直後のサーチユニット０〜３のデータが、つなぎ位置８０４の直前のサーチユニット０〜３のデータにより上書きされてしまう。
【００４８】
その結果、ＰＣＣ＝２の特殊再生用画像データは、つなぎ記録前後の画像が混在して表示されてしまうことになる。
【００４９】
そこで、本実施形態では、この様な状態を検出した場合には、そのフレームについて、メモリ４０２に記憶された特殊再生用画像データを破棄し、元の画像とつなぎ記録後の画像が混在表示されることを防止している。
【００５０】
なお、ここでは８倍速サーチ再生の場合について説明したが、２４倍サーチの場合には、再生すべき特殊再生用画像データの種類、及び、Ｓ９０８におけるＮの値が変わるだけで、８倍速の場合と同様に実現可能となる。
【図面の簡単な説明】
【００５１】
【図１】テープ上の記録フォーマットを示す図である。
【図２】通常再生用の画像データと特殊再生用画像データの関係を示す図である。
【図３】テープ上のピクチャチェンジカウンタと特殊再生用画像データの関係を示す図である。
【図４】本発明の実施形態における再生装置のブロック図である。
【図５】実施形態におけるマクロブロックの様子を示す図である。
【図６】特殊再生用画像データの構成を示す図である。
【図７】特殊再生用画像データの記録時のブロック構成を示す図である。
【図８】実施形態に係るテープ上の記録データを示す図である。
【図９】サーチ再生時の動作を示すフローチャートである。
【図１】
2007074523.tif 000003
【図２】
2007074523.tif 000004
【図３】
2007074523.tif 000005
【図４】
2007074523.tif 000006
【図５】
2007074523.tif 000007
【図６】
2007074523.tif 000008
【図７】
2007074523.tif 000009
【図８】
2007074523.tif 000010
【図９】
2007074523.tif 000011